(57)【要約】【課題】  データ線の容量結合に起因した縦クロストークを抑制する。【解決手段】  走査線駆動回路３５０は、正極性および負極性の選択電圧を、水平走査期間の後半期間において、水平走査期間ごとに交互に各走査線３１２に印加する。データ線駆動回路２５０は、奇数列目のデータ線２１２に対し、水平走査期間の後半期間のうち、画素の階調に応じた期間にて点灯電圧を、その残余の期間にて非点灯電圧を印加し、その水平走査期間の前半期間のうち、階調に応じた期間にて非点灯電圧を、その残余の期間にて点灯電圧を印加する。また、データ線駆動回路２５０は、偶数列目のデータ線２１２に対し、水平走査期間の後半期間のうち、画素の階調に応じた期間にて点灯電圧を、その残余の期間にて非点灯電圧を印加し、その水平走査期間の直後の水平走査期間における前半期間のうち、階調に応じた期間にて非点灯電圧を、その残余の期間にて点灯電圧を印加する。【選択図】            図１
2006184652.tif 000002
【特許請求の範囲】
【請求項１】
複数の走査線と複数のデータ線との各交差に対応して画素が配置された電気光学装置を
駆動する方法であって、
基準電圧に対して正極性および負極性の選択電圧を、水平走査期間の後半期間において
、水平走査期間ごとに交互に前記各走査線に印加し、
前記複数のデータ線のうち奇数列および偶数列の一方に属する第１データ線の各々に対
し、水平走査期間における後半期間のうち、選択電圧が印加される走査線と前記第１デー
タ線との交差に対応する画素の階調に応じた期間にて点灯電圧を印加し、その残余の期間
にて非点灯電圧を印加し、かつ、その水平走査期間における前半期間のうち、当該画素の
階調に応じた期間にて非点灯電圧を印加し、その残余の期間にて点灯電圧を印加する一方
、
前記複数のデータ線のうち奇数列および偶数列の他方に属する第２データ線の各々に対
し、水平走査期間における後半期間のうち、選択電圧が印加される走査線と前記第２デー
タ線との交差に対応する画素の階調に応じた期間にて点灯電圧を印加し、その残余の期間
にて非点灯電圧を印加し、かつ、その水平走査期間の直後の水平走査期間における前半期
間のうち、当該画素の階調に応じた期間にて非点灯電圧を印加し、その残余の期間にて点
灯電圧を印加する
電気光学装置の駆動方法。
【請求項２】
複数の走査線と複数のデータ線との各交差に対応して画素が配置された電気光学装置を
駆動する方法であって、
基準電圧に対して正極性および負極性の選択電圧を、水平走査期間の前半期間において
、水平走査期間ごとに交互に前記各走査線に印加し、
前記複数のデータ線のうち奇数列および偶数列の一方に属する第１データ線の各々に対
し、水平走査期間における前半期間のうち、選択電圧が印加される走査線と前記第１デー
タ線との交差に対応する画素の階調に応じた期間にて点灯電圧を印加し、その残余の期間
にて非点灯電圧を印加し、かつ、その水平走査期間における後半期間のうち、当該画素の
階調に応じた期間にて非点灯電圧を印加し、その残余の期間にて点灯電圧を印加する一方
、
前記複数のデータ線のうち奇数列および偶数列の他方に属する第２データ線の各々に対
し、水平走査期間における前半期間のうち、選択電圧が印加される走査線と前記第２デー
タ線との交差に対応する画素の階調に応じた期間にて点灯電圧を印加し、その残余の期間
にて非点灯電圧を印加し、かつ、その水平走査期間の直前の水平走査期間における後半期
間のうち、当該画素の階調に応じた期間にて非点灯電圧を印加し、その残余の期間にて点
灯電圧を印加する
電気光学装置の駆動方法。
【請求項３】
複数の走査線と複数のデータ線との各交差に対応して画素が配置された電気光学装置を
駆動する方法であって、
基準電圧に対して正極性および負極性の選択電圧を、水平走査期間の後半期間において
、水平走査期間ごとに交互に前記各走査線に印加し、
前記複数のデータ線のうち奇数列および偶数列の一方に属する第１データ線と走査線と
の交差に対応する画素について第１の階調が指示されると、この第１データ線に対し、水
平走査期間における後半期間の始点から終点まで点灯電圧を印加し、その水平走査期間に
おける前半期間の始点から終点まで非点灯電圧を印加し、当該画素について第１の階調と
は異なる第２の階調が指示されると、前記第１データ線に対し、水平走査期間における後
半期間の始点から終点まで非点灯電圧を印加し、その水平走査期間における前半期間の始
点から終点まで点灯電圧を印加する一方、
前記複数のデータ線のうち奇数列および偶数列の他方に属する第２データ線と走査線と
の交差に対応する画素について前記第１の階調が指示されると、この第２データ線に対し
、水平走査期間における後半期間の始点から終点まで点灯電圧を印加し、その水平走査期
間の直後の水平走査期間における前半期間の始点から終点まで非点灯電圧を印加し、当該
画素について前記第２の階調が指示されると、前記第２データ線に対し、水平走査期間に
おける後半期間の始点から終点まで非点灯電圧を印加し、その水平走査期間の直後の水平
走査期間における前半期間の始点から終点まで点灯電圧を印加する
電気光学装置の駆動方法。
【請求項４】
複数の走査線と複数のデータ線との各交差に対応して画素が配置された電気光学装置を
駆動する方法であって、
基準電圧に対して正極性および負極性の選択電圧を、水平走査期間の前半期間において
、水平走査期間ごとに交互に前記各走査線に印加し、
前記複数のデータ線のうち奇数列および偶数列の一方に属する第１データ線と走査線と
の交差に対応する画素について第１の階調が指示されると、この第１データ線に対し、水
平走査期間における前半期間の始点から終点まで点灯電圧を印加し、その水平走査期間に
おける後半期間の始点から終点まで非点灯電圧を印加し、当該画素について第１の階調と
は異なる第２の階調が指示されると、前記第１データ線に対し、水平走査期間における前
半期間の始点から終点まで非点灯電圧を印加し、その水平走査期間における後半期間の始
点から終点まで点灯電圧を印加する一方、
前記複数のデータ線のうち奇数列および偶数列の他方に属する第２データ線と走査線と
の交差に対応する画素について前記第１の階調が指示されると、この第１データ線に対し
、水平走査期間における前半期間の始点から終点まで点灯電圧を印加し、その水平走査期
間の直前の水平走査期間における後半期間の始点から終点まで非点灯電圧を印加し、当該
画素について前記第２の階調が指示されると、前記第２データ線に対し、水平走査期間に
おける前半期間の始点から終点まで非点灯電圧を印加し、その水平走査期間の直前の水平
走査期間における後半期間の始点から終点まで点灯電圧を印加する
電気光学装置の駆動方法。
【請求項５】
複数の走査線と複数のデータ線との各交差に対応して配置された画素と、
基準電圧に対して正極性および負極性の選択電圧を、水平走査期間の後半期間において
、水平走査期間ごとに交互に前記各走査線に印加する走査線駆動回路と、
前記複数のデータ線のうち奇数列および偶数列の一方に属する第１データ線の各々に対
し、水平走査期間における後半期間のうち、選択電圧が印加される走査線と前記第１デー
タ線との交差に対応する画素の階調に応じた期間にて点灯電圧を印加し、その残余の期間
にて非点灯電圧を印加し、かつ、その水平走査期間における前半期間のうち、当該画素の
階調に応じた期間にて非点灯電圧を印加し、その残余の期間にて点灯電圧を印加する一方
、
前記複数のデータ線のうち奇数列および偶数列の他方に属する第２データ線の各々に対
し、水平走査期間における後半期間のうち、選択電圧が印加される走査線と前記第２デー
タ線との交差に対応する画素の階調に応じた期間にて点灯電圧を印加し、その残余の期間
にて非点灯電圧を印加し、かつ、その水平走査期間の直後の水平走査期間における前半期
間のうち、当該画素の階調に応じた期間にて非点灯電圧を印加し、その残余の期間にて点
灯電圧を印加するデータ線駆動回路と
を具備する電気光学装置。
【請求項６】
前記データ線駆動回路は、
水平走査期間における後半期間のうち、画素の階調に応じた期間にて点灯電圧となると
ともにその残余の期間にて非点灯電圧となり、かつ、その水平走査期間における前半期間
のうち、画素の階調に応じた期間にて非点灯電圧となるとともにその残余の期間にて点灯
電圧となるデータ信号を前記複数のデータ線の各々について生成する信号生成回路と、
前記信号生成回路が生成したデータ信号のうち前記第１データ線に対応するデータ信号
と前記第２データ線に対応するデータ信号との一方を他方に対して遅延させて前記各デー
タ線に出力するタイミング調整回路とを有する
請求項５に記載の電気光学装置。
【請求項７】
複数の走査線と複数のデータ線との各交差に対応して配置された画素と、
基準電圧に対して正極性および負極性の選択電圧を、水平走査期間の前半期間において
、水平走査期間ごとに交互に前記各走査線に印加する走査線駆動回路と、
前記複数のデータ線のうち奇数列および偶数列の一方に属する第１データ線の各々に対
し、水平走査期間における前半期間のうち、選択電圧が印加される走査線と前記第１デー
タ線との交差に対応する画素の階調に応じた期間にて点灯電圧を印加し、その残余の期間
にて非点灯電圧を印加し、かつ、その水平走査期間における後半期間のうち、当該画素の
階調に応じた期間にて非点灯電圧を印加し、その残余の期間にて点灯電圧を印加する一方
、
前記複数のデータ線のうち奇数列および偶数列の他方に属する第２データ線の各々に対
し、水平走査期間における前半期間のうち、選択電圧が印加される走査線と前記第２デー
タ線との交差に対応する画素の階調に応じた期間にて点灯電圧を印加し、その残余の期間
にて非点灯電圧を印加し、かつ、その水平走査期間の直前の水平走査期間における後半期
間のうち、当該画素の階調に応じた期間にて非点灯電圧を印加し、その残余の期間にて点
灯電圧を印加するデータ線駆動回路と
を具備する電気光学装置。
【請求項８】
複数の走査線と複数のデータ線との各交差に対応して配置された画素と、
基準電圧に対して正極性および負極性の選択電圧を、水平走査期間の後半期間において
、水平走査期間ごとに交互に前記各走査線に印加する走査線駆動回路と、
前記複数のデータ線のうち奇数列および偶数列の一方に属する第１データ線と走査線と
の交差に対応する画素について第１の階調が指示されると、この第１データ線に対し、水
平走査期間における後半期間の始点から終点まで点灯電圧を印加し、その水平走査期間に
おける前半期間の始点から終点まで非点灯電圧を印加し、当該画素について第１の階調と
は異なる第２の階調が指示されると、前記第１データ線に対し、水平走査期間における後
半期間の始点から終点まで非点灯電圧を印加し、その水平走査期間における前半期間の始
点から終点まで点灯電圧を印加する一方、
前記複数のデータ線のうち奇数列および偶数列の他方に属する第２データ線と走査線と
の交差に対応する画素について前記第１の階調が指示されると、この第２データ線に対し
、水平走査期間における後半期間の始点から終点まで点灯電圧を印加し、その水平走査期
間の直後の水平走査期間における前半期間の始点から終点まで非点灯電圧を印加し、当該
画素について前記第２の階調が指示されると、前記第２データ線に対し、水平走査期間に
おける後半期間の始点から終点まで非点灯電圧を印加し、その水平走査期間の直後の水平
走査期間における前半期間の始点から終点まで点灯電圧を印加するデータ線駆動回路と
を具備する電気光学装置。
【請求項９】
複数の走査線と複数のデータ線との各交差に対応して配置された画素と、
基準電圧に対して正極性および負極性の選択電圧を、水平走査期間の前半期間において
、水平走査期間ごとに交互に前記各走査線に印加する走査線駆動回路と、
前記複数のデータ線のうち奇数列および偶数列の一方に属する第１データ線と走査線と
の交差に対応する画素について第１の階調が指示されると、この第１データ線に対し、水
平走査期間における前半期間の始点から終点まで点灯電圧を印加し、その水平走査期間に
おける後半期間の始点から終点まで非点灯電圧を印加し、当該画素について第１の階調と
は異なる第２の階調が指示されると、前記第１データ線に対し、水平走査期間における前
半期間の始点から終点まで非点灯電圧を印加し、その水平走査期間における後半期間の始
点から終点まで点灯電圧を印加する一方、
前記複数のデータ線のうち奇数列および偶数列の他方に属する第２データ線と走査線と
の交差に対応する画素について前記第１の階調が指示されると、この第１データ線に対し
、水平走査期間における前半期間の始点から終点まで点灯電圧を印加し、その水平走査期
間の直前の水平走査期間における後半期間の始点から終点まで非点灯電圧を印加し、当該
画素について前記第２の階調が指示されると、前記第２データ線に対し、水平走査期間に
おける前半期間の始点から終点まで非点灯電圧を印加し、その水平走査期間の直前の水平
走査期間における後半期間の始点から終点まで点灯電圧を印加するデータ線駆動回路と
を具備する電気光学装置。
【請求項１０】
請求項５から請求項９の何れかに記載の電気光学装置を具備する電子機器。
【発明の詳細な説明】
【技術分野】
【０００１】
本発明は、液晶などの電気光学物質を利用して画像を表示する技術に関する。
【背景技術】
【０００２】
液晶装置などの電気光学装置において複数の階調を表示するための技術としてパルス幅
変調方式が従来から提案されている。この方式においては、画素を点灯させる点灯電圧と
消灯させる非点灯電圧とが画素の階調に応じた時間密度にて各データ線に印加される（例
えば特許文献１参照）。この方式を採用した電気光学装置においては、データ線の電圧を
点灯電圧と非点灯電圧の２値とすることができるから、電気光学装置を駆動する構成の簡
素化が図られるという利点がある。
【特許文献１】特開２００２−３６６１２０号公報（図１０）
【発明の開示】
【発明が解決しようとする課題】
【０００３】
ところで、この種の電気光学装置における各データ線は、これに隣接する他のデータ線
と容量的に結合する。したがって、何れかのデータ線の電圧が点灯電圧および非点灯電圧
の一方から他方に切り替わると、このデータ線に隣接する他のデータ線の電圧も併せて変
動することになる。このように各データ線の電圧に変動が生じると、各画素に所期の電圧
を印加することが阻害され、この結果としてデータ線が延在する方向に沿う表示ムラ（以
下ではこの現象を「縦クロストーク」という）が発生するといった問題がある。この問題
を解決するための方策としては、データ線に付随する容量を低減することや、画素の容量
をデータ線の容量と比較して増大させることが考えられる。しかしながら、データ線の容
量の低減や画素の容量の増大には限界があるから、何れの方策によっても縦クロストーク
を充分に抑制することは困難である。
【０００４】
また、画素の電極として機能する走査線とこれに交差するデータ線とを備えた電気光学
装置において後者の方策を採用するためには走査線の容量を増加させることが必要となる
。この構成において走査線とデータ線とが容量的に結合していると、データ線に印加され
る電圧の変動に起因して走査線の電圧が変動し、これに伴なって画素の電圧実効値が変動
するため、走査線が延在する方向に表示ムラ（いわゆる横クロストーク）が発生する場合
がある。ここで、データ線の電圧に応じた走査線の電圧の変動量はこの走査線の容量に応
じて増大するから、画素の容量（走査線の容量）を増大させるという方策を採用した場合
には横クロストークが顕在化するという問題が生じ得る。このような事項に鑑みて、本発
明の目的は、データ線や画素の容量に制約されることなく縦クロストークを低減すること
にある。
【課題を解決するための手段】
【０００５】
この課題を解決するために、本発明に係る駆動方法の第１の特徴は、基準電圧に対して
正極性および負極性の選択電圧を、水平走査期間の後半期間において、水平走査期間ごと
に交互に各走査線に印加し、複数のデータ線のうち奇数列および偶数列の一方に属する第
１データ線（実施形態においては奇数列のデータ線２１２）の各々に対し、水平走査期間
における後半期間のうち、選択電圧が印加される走査線と第１データ線との交差に対応す
る画素の階調に応じた期間にて点灯電圧を印加し、その残余の期間にて非点灯電圧を印加
し、かつ、その水平走査期間における前半期間のうち、当該画素の階調に応じた期間にて
非点灯電圧を印加し、その残余の期間にて点灯電圧を印加する一方、複数のデータ線のう
ち奇数列および偶数列の他方に属する第２データ線（実施形態においては偶数列のデータ
線２１２）の各々に対し、水平走査期間における後半期間のうち、選択電圧が印加される
走査線と第２データ線との交差に対応する画素の階調に応じた期間にて点灯電圧を印加し
、その残余の期間にて非点灯電圧を印加し、かつ、その水平走査期間の直後の水平走査期
間における前半期間のうち、当該画素の階調に応じた期間にて非点灯電圧を印加し、その
残余の期間にて点灯電圧を印加することにある。
この方法によれば、各データ線の電圧が変動するタイミングとこれに隣接する各データ
線の電圧が変動するタイミングとが時間軸の方向に分散されるから（図６の部分（ｃ）参
照）、各データ線の電圧が変動する方向は時間軸上にて均等に分散される。したがって、
データ線同士の容量結合に起因した縦クロストークは有効に抑制される。
【０００６】
なお、各走査線に選択電圧が印加される期間は水平走査期間の前半期間であってもよい
。すなわち、本発明に係る駆動方法の第２の特徴は、基準電圧に対して正極性および負極
性の選択電圧を、水平走査期間の前半期間において、水平走査期間ごとに交互に各走査線
に印加し、複数のデータ線のうち奇数列および偶数列の一方に属する第１データ線の各々
に対し、水平走査期間における前半期間のうち、選択電圧が印加される走査線と第１デー
タ線との交差に対応する画素の階調に応じた期間にて点灯電圧を印加し、その残余の期間
にて非点灯電圧を印加し、かつ、その水平走査期間における後半期間のうち、当該画素の
階調に応じた期間にて非点灯電圧を印加し、その残余の期間にて点灯電圧を印加する一方
、複数のデータ線のうち奇数列および偶数列の他方に属する第２データ線の各々に対し、
水平走査期間（例えば図８の期間ｈ2）における前半期間のうち、選択電圧が印加される
走査線と第２データ線との交差に対応する画素の階調に応じた期間にて点灯電圧を印加し
、その残余の期間にて非点灯電圧を印加し、かつ、その水平走査期間（期間ｈ2）の直前
の水平走査期間（例えば図８の期間ｈ1）における後半期間のうち、当該画素の階調に応
じた期間にて非点灯電圧を印加し、その残余の期間にて点灯電圧を印加することにある。
この構成によっても、第１の特徴に係る駆動方法と同様の作用および効果が奏される。
【０００７】
ところで、縦クロストークは、複数のデータ線の電圧が同じタイミングにて同方向に変
化する場合、すなわち、例えば水平走査期間の前半期間や後半期間における始点や終点に
て複数のデータ線の電圧が一斉に変動する場合に特に顕著となる。そこで、本発明の第１
の特徴に係る駆動方法を別の観点から把握すると、例えば図６に示されるように、基準電
圧に対して正極性および負極性の選択電圧を、水平走査期間の後半期間において、水平走
査期間ごとに交互に各走査線に印加し、複数のデータ線のうち奇数列および偶数列の一方
に属する第１データ線と走査線との交差に対応する画素について第１の階調（例えばノー
マリーホワイトモードにおける黒色に相当する階調）が指示されると、この第１データ線
に対し、水平走査期間における後半期間の始点から終点まで点灯電圧を印加し、その水平
走査期間における前半期間の始点から終点まで非点灯電圧を印加し、当該画素について第
１の階調とは異なる第２の階調（例えばノーマリーホワイトモードにおける白色に相当す
る階調）が指示されると、第１データ線に対し、水平走査期間における後半期間の始点か
ら終点まで非点灯電圧を印加し、その水平走査期間における前半期間の始点から終点まで
点灯電圧を印加する一方、複数のデータ線のうち奇数列および偶数列の他方に属する第２
データ線と走査線との交差に対応する画素について第１の階調が指示されると、この第２
データ線に対し、水平走査期間における後半期間の始点から終点まで点灯電圧を印加し、
その水平走査期間の直後の水平走査期間における前半期間の始点から終点まで非点灯電圧
を印加し、当該画素について第２の階調が指示されると、第２データ線に対し、水平走査
期間における後半期間の始点から終点まで非点灯電圧を印加し、その水平走査期間の直後
の水平走査期間における前半期間の始点から終点まで点灯電圧を印加する方法として特定
される。この方法において、第１および第２の階調以外の階調が指定されたときのデータ
線の電圧は、第１の特徴に係る駆動方法と同様であってもよいし従来の駆動方法と同様で
あってもよい。
一方、本発明の第２の特徴に係る駆動方法を別の観点から把握すると、例えば図９に示
されるように、基準電圧に対して正極性および負極性の選択電圧を、水平走査期間の前半
期間において、水平走査期間ごとに交互に各走査線に印加し、複数のデータ線のうち奇数
列および偶数列の一方に属する第１データ線と走査線との交差に対応する画素について第
１の階調が指示されると、この第１データ線に対し、水平走査期間における前半期間の始
点から終点まで点灯電圧を印加し、その水平走査期間における後半期間の始点から終点ま
で非点灯電圧を印加し、当該画素について第１の階調とは異なる第２の階調が指示される
と、第１データ線に対し、水平走査期間における前半期間の始点から終点まで非点灯電圧
を印加し、その水平走査期間における後半期間の始点から終点まで点灯電圧を印加する一
方、複数のデータ線のうち奇数列および偶数列の他方に属する第２データ線と走査線との
交差に対応する画素について第１の階調が指示されると、この第１データ線に対し、水平
走査期間における前半期間の始点から終点まで点灯電圧を印加し、その水平走査期間の直
前の水平走査期間における後半期間の始点から終点まで非点灯電圧を印加し、当該画素に
ついて第２の階調が指示されると、第２データ線に対し、水平走査期間における前半期間
の始点から終点まで非点灯電圧を印加し、その水平走査期間の直前の水平走査期間におけ
る後半期間の始点から終点まで点灯電圧を印加する方法として特定される。
【０００８】
本発明に係る電気光学装置の第１の特徴は、複数の走査線と複数のデータ線との各交差
に対応して配置された画素と、基準電圧に対して正極性および負極性の選択電圧を、水平
走査期間の後半期間において、水平走査期間ごとに交互に各走査線に印加する走査線駆動
回路と、複数のデータ線のうち奇数列および偶数列の一方に属する第１データ線の各々に
対し、水平走査期間における後半期間のうち、選択電圧が印加される走査線と第１データ
線との交差に対応する画素の階調に応じた期間にて点灯電圧を印加し、その残余の期間に
て非点灯電圧を印加し、かつ、その水平走査期間における前半期間のうち、当該画素の階
調に応じた期間にて非点灯電圧を印加し、その残余の期間にて点灯電圧を印加する一方、
複数のデータ線のうち奇数列および偶数列の他方に属する第２データ線の各々に対し、水
平走査期間における後半期間のうち、選択電圧が印加される走査線と第２データ線との交
差に対応する画素の階調に応じた期間にて点灯電圧を印加し、その残余の期間にて非点灯
電圧を印加し、かつ、その水平走査期間の直後の水平走査期間における前半期間のうち、
当該画素の階調に応じた期間にて非点灯電圧を印加し、その残余の期間にて点灯電圧を印
加するデータ線駆動回路とを具備することにある。この電気光学装置においても、本発明
の第１の特徴に係る駆動方法と同様の理由により、データ線同士の容量結合に起因した縦
クロストークを有効に抑制することができる。本発明に係る電気光学装置は、画像を表示
するための機器として各種の電子機器に採用される。この電子機器としては、携帯電話機
やパーソナルコンピュータなどがある。
この発明の他の態様において、データ線駆動回路は、水平走査期間における後半期間の
うち、画素の階調に応じた期間にて点灯電圧となるとともにその残余の期間にて非点灯電
圧となり、かつ、その水平走査期間における前半期間のうち、画素の階調に応じた期間に
て非点灯電圧となるとともにその残余の期間にて点灯電圧となるデータ信号（実施形態に
おける原データ信号ｘ）を複数のデータ線の各々について生成する信号生成回路と、信号
生成回路が生成したデータ信号のうち第１データ線に対応するデータ信号と第２データ線
に対応するデータ信号との一方を他方に対して遅延させて各データ線に出力するタイミン
グ調整回路とを有する。この態様によれば、タイミング調整回路を備えない従来の電気光
学装置における信号生成回路を流用することができるという利点がある。
【０００９】
また、本発明に係る電気光学装置の第２の特徴は、複数の走査線と複数のデータ線との
各交差に対応して配置された画素と、基準電圧に対して正極性および負極性の選択電圧を
、水平走査期間の前半期間において、水平走査期間ごとに交互に各走査線に印加する走査
線駆動回路と、複数のデータ線のうち奇数列および偶数列の一方に属する第１データ線の
各々に対し、水平走査期間における前半期間のうち、選択電圧が印加される走査線と第１
データ線との交差に対応する画素の階調に応じた期間にて点灯電圧を印加し、その残余の
期間にて非点灯電圧を印加し、かつ、その水平走査期間における後半期間のうち、当該画
素の階調に応じた期間にて非点灯電圧を印加し、その残余の期間にて点灯電圧を印加する
一方、複数のデータ線のうち奇数列および偶数列の他方に属する第２データ線の各々に対
し、水平走査期間における前半期間のうち、選択電圧が印加される走査線と第２データ線
との交差に対応する画素の階調に応じた期間にて点灯電圧を印加し、その残余の期間にて
非点灯電圧を印加し、かつ、その水平走査期間の直前の水平走査期間における後半期間の
うち、当該画素の階調に応じた期間にて非点灯電圧を印加し、その残余の期間にて点灯電
圧を印加するデータ線駆動回路とを具備することにある。この構成によっても、本発明の
第２の特徴に係る駆動方法と同様の理由により、データ線同士の容量結合に起因した縦ク
ロストークを有効に抑制することができる。
【００１０】
一方、各データ線に印加される電圧が変動するタイミングが水平走査期間の前半期間ま
たは後半期間の始点または終点に揃う場合（すなわち縦クロストークが特に顕著となる場
合）に着目して本発明の第１の特徴に係る電気光学装置を把握すれば、複数の走査線と複
数のデータ線との各交差に対応して配置された画素と、基準電圧に対して正極性および負
極性の選択電圧を、水平走査期間の後半期間において、水平走査期間ごとに交互に各走査
線に印加する走査線駆動回路と、複数のデータ線のうち奇数列および偶数列の一方に属す
る第１データ線と走査線との交差に対応する画素について第１の階調が指示されると、こ
の第１データ線に対し、水平走査期間における後半期間の始点から終点まで点灯電圧を印
加し、その水平走査期間における前半期間の始点から終点まで非点灯電圧を印加し、当該
画素について第１の階調とは異なる第２の階調が指示されると、第１データ線に対し、水
平走査期間における後半期間の始点から終点まで非点灯電圧を印加し、その水平走査期間
における前半期間の始点から終点まで点灯電圧を印加する一方、複数のデータ線のうち奇
数列および偶数列の他方に属する第２データ線と走査線との交差に対応する画素について
第１の階調が指示されると、この第２データ線に対し、水平走査期間における後半期間の
始点から終点まで点灯電圧を印加し、その水平走査期間の直後の水平走査期間における前
半期間の始点から終点まで非点灯電圧を印加し、当該画素について第２の階調が指示され
ると、第２データ線に対し、水平走査期間における後半期間の始点から終点まで非点灯電
圧を印加し、その水平走査期間の直後の水平走査期間における前半期間の始点から終点ま
で点灯電圧を印加するデータ線駆動回路とを具備する構成として特定される。
同様に、本発明の第２の特徴に係る電気光学装置を別の観点から把握すれば、複数の走
査線と複数のデータ線との各交差に対応して配置された画素と、基準電圧に対して正極性
および負極性の選択電圧を、水平走査期間の前半期間において、水平走査期間ごとに交互
に各走査線に印加する走査線駆動回路と、複数のデータ線のうち奇数列および偶数列の一
方に属する第１データ線と走査線との交差に対応する画素について第１の階調が指示され
ると、この第１データ線に対し、水平走査期間における前半期間の始点から終点まで点灯
電圧を印加し、その水平走査期間における後半期間の始点から終点まで非点灯電圧を印加
し、当該画素について第１の階調とは異なる第２の階調が指示されると、第１データ線に
対し、水平走査期間における前半期間の始点から終点まで非点灯電圧を印加し、その水平
走査期間における後半期間の始点から終点まで点灯電圧を印加する一方、複数のデータ線
のうち奇数列および偶数列の他方に属する第２データ線と走査線との交差に対応する画素
について第１の階調が指示されると、この第１データ線に対し、水平走査期間における前
半期間の始点から終点まで点灯電圧を印加し、その水平走査期間の直前の水平走査期間に
おける後半期間の始点から終点まで非点灯電圧を印加し、当該画素について第２の階調が
指示されると、第２データ線に対し、水平走査期間における前半期間の始点から終点まで
非点灯電圧を印加し、その水平走査期間の直前の水平走査期間における後半期間の始点か
ら終点まで点灯電圧を印加するデータ線駆動回路とを具備する構成として特定される。
【発明を実施するための最良の形態】
【００１１】
＜Ａ：電気光学装置の構成＞
図１は、本発明の実施形態に係る電気光学装置の構成を示すブロック図である。同図に
示されるように、電気光学装置Ｄは、電気光学パネル１００と制御回路４００と電圧生成
回路５００とを有する。このうち電気光学パネル１００は、Ｙ方向（列方向）に延在する
ｎ本のデータ線２１２が形成された素子基板と、Ｙ方向に直交するＸ方向（行方向）に延
在するｍ本の走査線３１２が形成された対向基板とが互いに対向するように貼り合わされ
、これらの基板の間隙に液晶が封止された構成となっている（ｎおよびｍはともに自然数
）。走査線３１２は、ＩＴＯ（Indium Tin Oxide）などの光透過性を有する導電性材料に
よって形成された帯状の電極である。データ線２１２と走査線３１２とが交差する各地点
には画素１１６が形成される。したがって、これらの画素１１６は、Ｘ方向およびＹ方向
にわたって縦ｍ行×横ｎ列のマトリクス状に配列する。
【００１２】
各画素１１６は、互いに直列に接続されたＴＦＤ（Thin Film Diode）素子２２０と画
素容量（液晶容量）１１８とを有する。このうち画素容量１１８は、走査線３１２と画素
電極と両者の間隙に介在する液晶とからなる容量である。各画素電極は、素子基板の表面
に形成された略矩形状の電極であり、各々が走査線３１２と対向するように各データ線２
１２の間隙に配列される。一方、ＴＦＤ素子２２０は、画素容量１１８とは反対側の端部
がデータ線２１２に接続された二端子型の非線形抵抗素子である。このＴＦＤ素子２２０
は、導電体／絶縁体／導電体の積層構造を有し、電流−電圧特性が正負の双方向にわたっ
て非線形となるダイオードスイッチング特性を呈する。すなわち、ＴＦＤ素子２２０は、
両端に印加された電圧が閾値を越えるとオン状態（導通状態）となり、この電圧が閾値を
下回るとオフ状態（非導通状態）となる。
【００１３】
制御回路４００は、画像データＤgや各種の制御信号を電気光学パネル１００に供給す
る。画像データＤgは、各画素１１６の階調（輝度）を８段階にて指定する３ビットのデ
ータである。本実施形態においては、画像データＤg［０００］によって最も明るい白色
の階調が指定される一方、画像データＤgの数値が増加するにつれて暗い階調が指定され
、画像データＤg［１１１］によって最も暗い黒色の階調が指定されるものとする。なお
、本実施形態における電気光学パネル１００は、画素容量１１８に対して電圧が印加され
ていないときに白色が表示されるノーマリーホワイトモードの表示パネルである。ただし
、ノーマリーブラックモードの電気光学装置Ｄにも本発明は適用される。
【００１４】
電気光学パネル１００には、走査線駆動回路３５０とデータ線駆動回路２５０とが実装
される。このうち走査線駆動回路３５０は、水平走査期間（１Ｈ）ごとに各走査線３１２
を順次に選択して選択電圧を印加するとともに他の走査線３１２に非選択電圧を印加する
ことによって各走査線３１２に走査信号Ｙ1、Ｙ2、……、Ｙmを供給する。一方、データ
線駆動回路２５０は、画像データＤgによって指定される階調に応じたデータ信号Ｘ1、Ｘ
2、……、Ｘnを各データ線２１２に出力する。
【００１５】
一方、電圧生成回路５００は、電気光学パネル１００にて使用される種々の電圧を電池
などの電源（図示略）から生成する。本実施形態における電圧生成回路５００は、電圧±
Ｖsと電圧±Ｖdとを生成する。このうち電圧±Ｖsは各走査線３１２に供給される走査信
号Ｙi（ｉは１≦ｉ≦ｍを満たす整数）の選択電圧として採択され、電圧±Ｖdは各走査線
３１２における非選択電圧として採択される。また、電圧±Ｖdはデータ信号Ｘj（ｊは１
≦ｊ≦ｎを満たす整数）の電圧としても兼用される。
【００１６】
電圧±Ｖdは、各々が走査線３１２に印加されたときに、データ線２１２に印加される
電圧に拘わらずＴＦＤ素子２２０がオフ状態となるレベルに設定されている。一方、選択
電圧となる電圧±Ｖsは、各々が走査線３１２に印加されたときに、データ線２１２に印
加される電圧に拘わらずＴＦＤ素子２２０がオン状態となるレベルに設定されている。こ
のうち電圧＋Ｖsは電圧＋Ｖdと電圧−Ｖdとの中心の電位（以下「基準電位」という）に
対して正極性（高位側）の電圧であり、電圧−Ｖsは基準電位に対して負極性（低位側）
の電圧である。また、電圧＋Ｖsと電圧−Ｖsとは基準電圧からみた絶対値が互いに等しい
。選択電圧たる電圧＋Ｖsまたは電圧−Ｖsの印加によってＴＦＤ素子２２０がオン状態に
なると、このＴＦＤ素子２２０に接続された画素容量１１８には、当該選択電圧とデータ
信号Ｘjの電圧との差分に応じた電荷が蓄積される。そして、その後に非選択電圧たる電
圧＋Ｖdまたは電圧−Ｖdが走査線３１２に印加されてＴＦＤ素子２２０がオフ状態に遷移
しても画素容量１１８における電荷の蓄積は維持される。したがって、走査線３１２に対
して選択電圧±Ｖsが印加されたときのデータ信号Ｘjの電圧に応じて所望の階調が表示さ
れる。
【００１７】
次に、各走査信号Ｙiの具体的な波形を示す図２を参照しながら走査線駆動回路３５０
の動作を説明する。走査線駆動回路３５０は、水平走査期間（１Ｈ）ごとに走査線３１２
を第１行目から第ｍ行目まで順番に１本ずつ選択する。そして、走査線駆動回路３５０は
、ここで選択した走査線３１２に対し、その水平走査期間を時間軸上にて２等分した前半
期間Ｔaおよび後半期間Ｔbのうち後半期間Ｔb（＝１／２Ｈ）にて電圧＋Ｖsまたは電圧−
Ｖsを選択電圧として印加する一方、それ以外の期間においては非選択電圧たる電圧＋Ｖd
または電圧−Ｖdを印加する。さらに詳述すると、第ｉ行目の走査線３１２に供給される
走査信号Ｙiの電圧は、第１に、ある垂直走査期間（１Ｆ）のうち第ｉ番目の水平走査期
間の後半期間Ｔbにおいて選択電圧たる電圧＋Ｖsとなり、第２に、その水平走査期間が経
過した後には電圧＋Ｖsの極性に対応した非選択電圧たる電圧＋Ｖdとなる。一方、第ｉ行
目の直後に選択される第（ｉ＋１）行目の走査線３１２に供給される走査信号Ｙi+1の電
圧は、第１に、第（ｉ＋１）番目の水平走査期間の後半期間Ｔbにおいて第ｉ行目の走査
線３１２の選択時とは逆極性の選択電圧たる電圧−Ｖsとなり、その水平走査期間が経過
すると当該電圧−Ｖsの極性に対応した電圧−Ｖdとなる。すなわち、互いに隣接する走査
線３１２の各々に対して各水平走査期間の後半期間Ｔbにて逆極性の選択電圧（電圧＋Ｖs
または電圧−Ｖs）が印加され、各水平走査期間が経過した後にはその水平走査期間にて
印加されていた選択電圧と同極性の非選択電圧（電圧＋Ｖdまたは電圧−Ｖd）が印加され
るというサイクルが繰り返される。一方、時間軸上にて相前後する垂直走査期間の各々に
おいてひとつの走査線３１２に印加される電圧の極性は逆転する。すなわち、先に例示し
た垂直走査期間の直後の垂直走査期間のうち第ｉ番目の水平走査期間の後半期間Ｔbにお
いて、走査信号Ｙiの電圧は負極性の選択電圧たる電圧−Ｖsとなり、その水平走査期間の
経過後には負極性の非選択電圧たる電圧−Ｖdとなる。
【００１８】
一方、第ｉ行目の走査線３１２に選択電圧が印加される水平走査期間の後半期間Ｔbに
おいて、第ｊ列目の画素１１６に供給されるデータ信号Ｘjは、第ｉ行に属する第ｊ列目
の画素１１６の階調に応じた時間長にわたって点灯電圧となり、その残余の期間において
非点灯電圧となる。そして、この点灯電圧が印加される期間の長短に応じて各画素１１６
の階調が制御される（パルス幅変調による階調表示）。ここで、点灯電圧とは、電圧±Ｖ
dのうち選択電圧とは逆極性の電圧である。すなわち、選択電圧が正極性の電圧＋Ｖsであ
れば負極性の電圧−Ｖdが、選択電圧が負極性の電圧−Ｖsであれば正極性の電圧＋Ｖdが
、それぞれ点灯電圧となる。一方、非点灯電圧とは、電圧±Ｖdのうち選択電圧と同極性
の電圧である。すなわち、選択電圧が正極性の電圧＋Ｖsであれば正極性の電圧＋Ｖdが、
選択電圧が負極性の電圧−Ｖsであれば負極性の電圧−Ｖdが、それぞれ非点灯電圧となる
。本実施形態に係る電気光学パネル１００はノーマリーホワイトモードを採用しているの
で、点灯電圧を印加する時間長が長いほど画素１１６は暗い階調となる。
【００１９】
図３は、このデータ信号Ｘjを生成するデータ線駆動回路２５０の構成を示す図である
。同図に示されるように、データ線駆動回路２５０は、メモリ２５１と信号生成回路２５
３とタイミング調整回路２５５とを有する。このうちメモリ２５１は、縦ｍ行×横ｎ列の
画素１１６に対応した記憶領域を有するデュアルポートＲＡＭ（Random Access Memory）
であり、制御回路４００から供給される各画素１１６の画像データＤgを当該画素１１６
に対応するアドレスに書き込む動作と、各行に属する合計ｎ個の画素１１６の画像データ
Ｄgを水平走査期間ごとに読み出して一斉に出力する動作とを並行して実行する。一方、
信号生成回路２５３は、データ信号Ｘ1ないしＸnの基礎となる信号（以下「原データ信号
」という）ｘ1ないしｘnを、メモリ２５１から出力された画像データＤgに基づいて生成
する回路であり、データ線２１２の本数に相当するｎ個の処理ユニットＵを具備する。第
ｊ段目の処理ユニットＵは、第ｊ列目に位置する画素１１６の画像データＤgに基づいて
第ｊ列目のデータ線２１２に対応した原データ信号ｘjを生成する。
【００２０】
一方、タイミング調整回路２５５は、原データ信号ｘ1ないしｘnのタイミング（位相）
を制御することによって各々をデータ信号Ｘ1ないしＸnとして出力する手段である。さら
に詳述すると、タイミング調整回路２５５は、ｎ本のデータ線２１２のうち偶数列目のデ
ータ線２１２に対応する原データ信号ｘ2、ｘ4、ｘ6、……、ｘnを奇数列目のデータ線２
１２に対応する原データ信号ｘ1、ｘ3、ｘ5、……、ｘn-1に対して遅延させ、この処理後
の信号をデータ信号Ｘ1ないしＸnとして各データ線２１２に出力する。
【００２１】
次に、図４は、画像データＤgの内容とその画像データＤgが供給されたときに処理ユニ
ットＵが生成する原データ信号ｘjの波形との関係を示すタイミングチャートである。同
図に示されるように、信号生成回路２５３の各処理ユニットＵが生成する原データ信号ｘ
jは、第ｉ行目の走査線３１２に選択電圧（±Ｖs）が印加される水平走査期間の後半期間
Ｔbにおいて、第ｉ行に属する第ｊ列目の画素１１６の階調に応じた時間長にわたって点
灯電圧となり、その残余の期間において非点灯電圧となる。一方、後半期間Ｔbの直前の
前半期間Ｔaにおいて、原データ信号ｘjは、その後半期間Ｔbとは極性を反転させた波形
となる。例えば、画像データＤgが白色を指定する［０００］である場合および黒色を指
定する［１１１］である場合、原データ信号ｘjの具体的な波形は以下のようになる。
【００２２】
図４に示されるように、ある水平走査期間にて第ｊ列目の画素１１６に与えられる画像
データＤgが白色を指定する［０００］である場合、処理ユニットＵは、この水平走査期
間のうち後半期間Ｔbの始点から終点まで非点灯電圧となり、その直前の前半期間Ｔaの始
点から終点までこれとは逆極性の点灯電圧となるように原データ信号ｘjを生成する。さ
らに詳述すると、この場合の原データ信号ｘjは、後半期間Ｔbにて走査線３１２に電圧＋
Ｖsが印加される水平走査期間のうちの前半期間Ｔaにおいて点灯電圧たる電圧−Ｖdとな
り、その直後の後半期間Ｔbにおいて非点灯電圧たる電圧＋Ｖdとなる一方、後半期間にて
走査線３１２に電圧−Ｖsが印加される水平走査期間のうちの前半期間Ｔaにおいて点灯電
圧たる電圧＋Ｖdとなり、その直後の後半期間Ｔbにおいて非点灯電圧たる電圧−Ｖdとな
る。また、画像データＤgが黒色を指定する［１１１］である場合、原データ信号ｘjの波
形は、後半期間Ｔbの始点から終点まで点灯電圧となり、その直前の前半期間Ｔaの始点か
ら終点までこれとは逆極性の非点灯電圧となる。すなわち、この場合の原データ信号ｘj
は、後半期間Ｔbにて走査線３１２に電圧＋Ｖsが印加される水平走査期間のうちの前半期
間Ｔaにおいて非点灯電圧たる電圧＋Ｖdとなり、その直後の後半期間Ｔbにおいて点灯電
圧たる電圧−Ｖdとなる一方、走査線３１２に電圧−Ｖsが印加される水平走査期間の前半
期間Ｔaにて非点灯電圧たる電圧−Ｖdとなり、その直後の後半期間Ｔbにおいて点灯電圧
たる電圧＋Ｖdとなる。
【００２３】
以上のような原データ信号ｘjをタイミング調整回路２５５による調整後にデータ信号
Ｘjとして各データ線２１２に出力することにより、１水平走査期間のうちデータ信号Ｘj
が電圧＋Ｖdとなる時間長と電圧−Ｖdとなる時間長とは画素１１６の階調に拘わらず等し
くなる。この駆動方法によれば、走査線３１２が選択されていない期間において画素１１
６（より厳密には画素容量１１８）に印加される電圧実効値が総ての画素１１６にわたっ
て等しくなるから、白色を表示する画素１１６と黒色を表示する画素１１６とがＸ方向お
よびＹ方向にわたって交互に配置される市松模様や、１行ごとに白色および黒色が反転す
るゼブラパターンなどを表示する場合であっても、Ｙ方向（縦方向）の表示ムラは抑制さ
れる。
【００２４】
ところで、複数のデータ線２１２は近接して配置されるから、各データ線２１２はこれ
に隣接する他のデータ線２１２と容量的に結合する。したがって、各データ線２１２の電
圧が点灯電圧および非点灯電圧の一方から他方に切り替わると、このデータ線２１２に隣
接する他のデータ線２１２の電圧も併せて変動することになる。原データ信号ｘjがその
まま各データ線２１２に供給される従来の構成（以下「対比構成」という）においては、
このようなデータ線２１２の変動に起因して縦クロストークが発生するという問題がある
。この問題について詳述すると以下の通りである。
【００２５】
図５は、対比構成において各データ線２１２に供給される原データ信号ｘ（ｘ1、ｘ2、
……、ｘn）の波形を走査信号ＹiおよびＹi+1の波形（部分(a)）とともに示すタイミング
チャートである。同図の部分(b)には、奇数列（第u列目および第v列目）の各データ線２
１２に供給される原データ信号ｘuおよびｘvと、その各々に隣り合う偶数列の各データ線
２１２に供給される原データ信号ｘu+1およびｘv+1とについて、データ線駆動回路２５０
から出力される直前の波形（すなわち理想的な波形）が示されている（ｕおよびｖは自然
数）。
【００２６】
同図においては、第ｕ列目、第（ｕ＋１）列目および第ｖ列目に位置する各画素１１６
の画像データＤgが白色を指定する［０００］であり、第（ｖ＋１）列目に位置する画素
１１６の画像データＤgが黒色を指定する［１１１］である場合が想定されている。この
場合、第ｕ列目のデータ線２１２に供給される原データ信号ｘuと第（ｕ＋１）列目のデ
ータ線２１２に供給される原データ信号ｘu+1とは同時に点灯電圧および非点灯電圧の一
方から他方に変動する。ここで、第ｕ列目のデータ線２１２と第（ｕ＋１）列目のデータ
線２１２とは容量的に結合しているから、図５の部分(c)に示されるように、原データ信
号ｘuが電圧−Ｖdから電圧＋Ｖdに変動すべきタイミングにおいて、第ｕ列目に位置する
データ線２１２の実際の電圧は、第（ｕ＋１）列目のデータ線２１２の電圧の変動に伴な
って、同図に破線で示される本来の電圧＋ＶdよりもΔＶだけ高い電圧まで上昇する。原
データ信号ｘuが電圧＋Ｖdから電圧−Ｖdに変動するタイミングにおいても同様であり、
第ｕ列目に位置するデータ線２１２の実際の電圧は、本来の電圧−ＶdよりもΔＶだけ低
い電圧まで下降する。したがって、第ｕ列目のデータ線２１２に供給される原データ信号
ｘuの実際の電圧振幅は「２（Ｖd＋ΔＶ）」となる。
【００２７】
次に、第ｖ列目のデータ線２１２と第（ｖ＋１）列目のデータ線２１２とに着目する。
ここでは第ｖ列目の画素１１６に白色が指定されるとともに第（ｖ＋１）列目の画素１１
６に黒色が指定された場合を想定しているから、原データ信号ｘvが変動するタイミング
において原データ信号ｘv+1はこれとは反対の方向に変動する。そして、これらのデータ
線２１２は相互に容量的に結合しているから、原データ信号ｘvが電圧−Ｖdから電圧＋Ｖ
dに変動すべきタイミングにおいて、第ｖ列目に位置するデータ線２１２の実際の電圧は
、原データ信号ｘv+1における電圧＋Ｖdから電圧−Ｖdへの変動に起因して、同図に破線
で示される本来の電圧＋ＶdよりもΔＶだけ低い電圧までしか上昇しない。原データ信号
ｘvが電圧＋Ｖdから電圧−Ｖdに変動する場合も同様であり、第ｖ列目に位置するデータ
線２１２の実際の電圧は、本来の電圧−ＶdよりもΔＶだけ高い電圧までしか下降しない
。したがって、第ｖ列目のデータ線２１２に供給される原データ信号ｘvの電圧振幅は「
２（Ｖd−ΔＶ）」となる。
【００２８】
以上に説明したように、第ｕ列目のデータ線２１２の電位と第ｖ列目のデータ線２１２
の電位とは本来ならば同じ振幅にて変動すべきであるにも関わらず、各々に隣接するデー
タ線２１２の電圧の相違に起因して互いに相違する振幅となる。したがって、所定の期間
（例えば垂直走査期間）にて第ｕ列目のデータ線２１２に印加される電圧の実効値と、同
じ期間にて第ｖ列目のデータ線２１２に印加される電圧の実効値とは相違する。すなわち
、ひとつの垂直走査期間に含まれる各水平走査期間の前半期間Ｔaにおいてデータ線２１
２に印加される電圧の実効値は、第ｖ列目のデータ線２１２よりも第ｕ列目のデータ線２
１２のほうが大きくなる。ここで、各データ線２１２に印加される電圧の実効値は画素容
量１１８とＴＦＤ素子２２０の容量とによって容量分割されたうえで当該画素容量１１８
に印加されるから、第ｕ列目の画素１１６と第ｖ列目の画素１１６とではひとつの垂直走
査期間における各前半期間Ｔaでの平均的な階調が相違することになる（第ｕ列目の画素
１１６の階調が第ｖ列目の画素１１６の階調よりも低い）。この階調の相違が観察者には
縦クロストークとして認識されるのである。なお、各水平走査期間の後半期間Ｔbにおい
ても各データ線２１２に印加される電圧の実効値は相違することになるが、後半期間Ｔb
においてはＴＦＤ素子２２０がオン状態となって画素容量１１８を充電する電流がデータ
線２１２に流れるから、点灯電圧と非点灯電圧とが画像データＤgに応じた時間密度にて
各データ線２１２に印加されてさえいれば、この相違が縦クロストークを引き起こすこと
はほとんどない。すなわち、本明細書にいう縦クロストークは、主として、ＴＦＤ素子２
２０がオフ状態を維持する前半期間Ｔaにて各データ線２１２に印加される電圧の実効値
が各データ線２１２間の容量に起因して相違することによって発生すると言える。
【００２９】
以上に説明した事情に鑑みて、本実施形態においては、奇数列目のデータ信号Ｘ1、Ｘ3
、……、Ｘn-1と偶数列目のデータ信号Ｘ2、Ｘ4、……、Ｘnとが同方向に変動するタイミ
ングが時間軸上において分散されるように、タイミング調整回路２５５が、奇数列目のデ
ータ線２１２に供給される原データ信号ｘ1、ｘ3、……、ｘn-1および偶数列目のデータ
線２１２に供給される原データ信号ｘ2、ｘ4、……ｘnの一方を他方に対して遅延させる
ようになっている。図６は、タイミング調整回路２５５による調整後に各データ線２１２
に出力されるデータ信号Ｘjの波形を走査信号ＹiおよびＹi+1（部分(a)）とともに示すタ
イミングチャートである。同図の部分(b)には、図５と同様に、奇数列（第u列目および第
v列目）の各データ線２１２に供給されるデータ信号ＸuおよびＸvと、その各々に隣り合
う偶数列の各データ線２１２に供給されるデータ信号Ｘu+1およびＸv+1とについて、デー
タ線駆動回路２５０から出力される直前の波形（すなわち理想的な波形）が示されている
。また、図６においても、第ｕ列目、第（ｕ＋１）列目および第ｖ列目に位置する各画素
１１６の画像データＤgが白色を指定する［０００］であり、第（ｖ＋１）列目に位置す
る画素１１６の画像データＤgが黒色を指定する［１１１］である場合が想定されている
。
【００３０】
同図に示されるように、奇数列目のデータ線２１２に供給されるデータ信号Ｘuおよび
Ｘvの波形は対比構成（すなわち原データ信号ｘuおよびｘv）と同様である。すなわち、
階調データ［０００］に対応するデータ信号ＸuおよびＸvは、走査線３１２に電圧＋Ｖs
が印加される水平走査期間のうち後半期間Ｔbの始点から終点まで非点灯電圧たる電圧＋
Ｖdとなり、その直前の前半期間Ｔaの始点から終点まで点灯電圧たる電圧−Ｖdとなる。
これに対し、偶数列目のデータ線２１２に供給されるデータ信号Ｘu+1およびＸv+1は、水
平走査期間の後半期間Ｔbにおいて対比構成と同様の電圧を維持するが、その水平走査期
間の直後の水平走査期間の前半期間Ｔaにおいて当該後半期間Ｔbとは逆極性の電圧となる
。
【００３１】
例えばいま、図６に示される水平走査期間ｈ1（選択電圧が正極性の電圧＋Ｖsである水
平走査期間）に着目する。第ｕ列目および第（ｕ＋１）列目に属する画素１１６にはとも
に白色が指定されているから、この水平走査期間ｈ1の後半期間Ｔbにおいて、データ信号
ＸuおよびＸu+1の電圧はともに電圧＋Ｖsと同極性の非点灯電圧たる電圧＋Ｖdとなる。そ
の一方、奇数列目のデータ信号Ｘuの電圧は、その水平走査期間ｈ1の前半期間Ｔaにおい
てその直後の後半期間Ｔbの電圧とは逆極性の電圧−Ｖdとなるのに対し、偶数列目のデー
タ信号Ｘu+1の電圧は、その水平走査期間ｈ1の直後の水平走査期間ｈ2の前半期間Ｔaにお
いて水平走査期間ｈ1の後半期間Ｔbの電圧とは逆極性の電圧−Ｖdとなる。一方、画像デ
ータＤg［１１１］に対応する偶数列目のデータ信号Ｘv+1は、水平走査期間ｈ1の後半期
間Ｔbの始点から終点まで電圧＋Ｖsとは逆極性の電圧−Ｖdを維持し、その水平走査期間
ｈ1の直後の水平走査期間ｈ2における前半期間Ｔaの始点から終点までこれとは逆極性の
電圧＋Ｖdを維持する。なお、同図においては図示されていないが、奇数列である第ｖ列
目の画素１１６に画像データＤg［１１１］が指定されたとすれば、これに対応するデー
タ信号Ｘvは、水平走査期間ｈ1の後半期間Ｔbにおいて点灯電圧たる電圧−Ｖdを維持する
一方、その水平走査期間ｈ1の前半期間Ｔaにおいてこれとは逆極性の電圧＋Ｖdを維持す
る波形となる。図３に示したタイミング調整回路２５５は、以上の条件を満たすように、
偶数列に対応する原データ信号ｘjのうち前半期間Ｔaの区間を水平走査期間の半分に相当
する時間長だけ遅延させ、これにより得られた信号をデータ信号Ｘjとして出力するので
ある。この構成によれば、対比構成と比較して横クロストークを抑制することができると
いう効果が奏される。この効果について詳述すると以下の通りである。
【００３２】
図６の部分(c)には、データ信号ＸuおよびＸvの実際の波形が実線にて示されている。
同図においては、データ線駆動回路２５０から出力される直前のデータ信号ＸuおよびＸv
の波形が併せて破線により示されている。同図に示されるように、各水平走査期間に着目
すると、データ信号ＸuおよびＸvの双方において、その電圧の振幅が所期値（２Ｖd）か
ら「２（Ｖd＋ΔＶ）」に拡大する区間と「２（Ｖd−ΔＶ）」に縮小する区間とが交互に
現れることになる。すなわち、データ信号Ｘuの振幅は、各水平走査期間の前半期間Ｔaに
おいてΔＶだけ縮小するとともにその後半期間ＴbにおいてΔＶだけ拡大する。同様に、
データ信号Ｘvの振幅は、各水平走査期間の前半期間Ｔaにおいて拡大するとともに後半期
間Ｔbにおいて縮小する。したがって、例えばひとつの垂直走査期間に着目すれば、この
垂直走査期間に含まれる総ての前半期間Ｔaおよび後半期間Ｔbのうちデータ線２１２の電
圧の振幅が拡大する区間の時間長の合計と、データ線２１２の電圧の振幅が縮小する区間
の時間長の合計とは、データ信号Ｘuとデータ信号Ｘvとで等しくなる。したがって、ひと
つの垂直走査期間において第ｕ列目のデータ線２１２に印加される電圧の実効値と同じ水
平走査期間において第ｖ列目のデータ線２１２に印加される電圧の実効値とは略等しい。
この結果、本実施形態においては、第ｕ列目の各画素１１６と第ｖ列目の各画素１１６と
が画像データＤgによる指定の通り同じ階調となり、対比構成にて問題となる縦クロスト
ークは解消されるのである。
【００３３】
ところで、画像データＤgが白色に相当する［０００］や黒色に相当する［１１１］で
ある場合には、データ信号Ｘjの電圧が変動するタイミングは前半期間Ｔaや後半期間Ｔb
の始点や終点に揃うため、データ信号Ｘjの電圧の変動に起因した縦クロストークは特に
顕著となる。したがって、縦クロストークを抑制するという本実施形態の効果は、図６に
示したように画像データＤgが［０００］や［１１１］である場合に特に有効であると言
える。この観点からすると、画像データＤgが［０００］や［１１１］である場合に限っ
て本発明の駆動方法を適用し、中間調が指示された場合には対比構成の方法によって駆動
するという構成も採用され得るが、本実施形態においては、中間調を指定する画像データ
Ｄg（［００１］から［１１０］まで）が与えられた場合にも、画像データＤg［０００］
や［１１１］が与えられた場合と同様の規則に従ってデータ信号Ｘjが生成される。この
点について詳述すると以下の通りである。
【００３４】
図７は、画像データＤgによって中間調が指定された場合のデータ信号Ｘjの波形を示す
タイミングチャートである。同図においては、奇数列のデータ線２１２に供給されるデー
タ信号Ｘuと偶数列のデータ線２１２に供給されるデータ信号Ｘu+1とが図示されている。
また、ここでは第ｉ行を含む奇数行目の各画素１１６について画像データＤg［１１０］
が指定され、第（ｉ＋１）行を含む偶数行目の各画素１１６について画像データＤg［０
０１］が指定された場合を想定する。
【００３５】
図７に示されるように、奇数列目のデータ線２１２に供給されるデータ信号Ｘuは、原
データ信号ｘuと同様に、ひとつの水平走査期間の後半期間Ｔbとその水平走査期間ｈ1の
前半期間Ｔaとで電圧の極性を反転させた波形となる。すなわち、データ信号Ｘuは、例え
ば水平走査期間ｈ1の後半期間Ｔbのうち、画像データＤgに応じた期間にて選択電圧とは
逆極性の点灯電圧を維持するとともにその残余の期間にて非点灯電圧となる一方、その水
平走査期間の前半期間Ｔaのうち、画像データＤgに応じた期間にて非点灯電圧（＋Ｖd）
を維持するとともにその残余の期間にて点灯電圧（−Ｖd）となる。これに対し、偶数列
目のデータ線２１２に供給されるデータ信号Ｘu+1は、ひとつの水平走査期間の後半期間
Ｔbとこの水平走査期間の直後の水平走査期間の前半期間Ｔaとで電圧の極性を反転させた
波形となる。すなわち、データ信号Ｘu+1は、水平走査期間ｈ1の後半期間Ｔbのうち画像
データＤgに応じた期間にて点灯電圧を維持するとともにその残余の期間にて非点灯電圧
となる点でデータ信号Ｘuと共通するが、水平走査期間ｈ1に続く水平走査期間ｈ2の前半
期間Ｔaのうち画像データＤgに応じた期間にて非点灯電圧（＋Ｖd）を維持するとともに
その残余の期間にて点灯電圧（−Ｖd）を維持する。
【００３６】
以上の説明から明らかなように、白色および黒色と中間調との双方を含む総ての階調に
ついて各データ信号Ｘ1ないしＸnの波形は以下のように一般化して表現される。すなわち
、第１に、奇数列目のデータ信号Ｘjは、水平走査期間における後半期間Ｔbのうち画素１
１６の階調に応じた期間（白色が指定された場合にはゼロ）にて点灯電圧を維持するとと
もにその残余の期間（黒色が指定された場合にはゼロ）にて非点灯電圧を維持する一方、
その水平走査期間における前半期間Ｔaのうち画素１１６の階調に応じた期間にて非点灯
電圧を維持するとともにその残余の期間にて点灯電圧を維持する。第２に、偶数列目のデ
ータ信号Ｘjは、水平走査期間における後半期間Ｔbのうち画素１１６の階調に応じた期間
にて点灯電圧を維持するとともにその残余の期間にて非点灯電圧を維持する一方、その水
平走査期間の直後の水平走査期間の前半期間Ｔaのうち画素１１６の階調に応じた期間に
て非点灯電圧を維持するとともにその残余の期間にて点灯電圧を維持する。
【００３７】
＜Ｂ：変形例＞
以上の実施形態に対しては種々の変形が施される。具体的な変形の態様を例示すれば以
下の通りである。なお、以下の各態様を適宜に組み合わせてもよい。
【００３８】
（１）実施形態においては、１水平走査期間のうちの後半期間Ｔbにおいて走査線３１２
に選択電圧が印加される構成を例示したが、これに代えて、前半期間Ｔaに選択電圧が印
加される構成も採用される。この構成においては、図８に示されるように、奇数列である
第ｕ列目に対応するデータ信号Ｘuは、ひとつの水平走査期間における前半期間Ｔaとその
水平走査期間における後半期間Ｔbとで電圧の極性を反転させた波形となる。すなわち、
データ信号Ｘuは、水平走査期間ｈ2における前半期間Ｔaのうち画素１１６の階調に応じ
た期間にて点灯電圧を維持するとともにその残余の期間にて非点灯電圧を維持する一方、
その水平走査期間ｈ2における後半期間Ｔbのうち画素１１６の階調に応じた期間にて非点
灯電圧を維持するとともにその残余の期間にて点灯電圧を維持する。これに対し、偶数列
である第（ｕ＋１）列目に対応するデータ信号Ｘu+1は、ひとつの水平走査期間における
前半期間Ｔaとその水平走査期間の直前の水平走査期間における後半期間Ｔbとで電圧の極
性を反転させた波形となる。すなわち、データ信号Ｘu+1は、水平走査期間ｈ2における前
半期間Ｔaのうち画素１１６の階調に応じた期間にて点灯電圧を維持するとともにその残
余の期間にて非点灯電圧を維持する一方、その水平走査期間ｈ2の直前の水平走査期間ｈ1
における後半期間Ｔbのうち画素１１６の階調に応じた期間にて非点灯電圧を維持すると
ともにその残余の期間にて点灯電圧を維持する。
【００３９】
また、図９は、縦クロストークが特に顕著となる黒色または白色の階調が指定されたと
きの各データ信号Ｘjの波形を示すタイミングチャートである。同図に示されるように、
奇数列に対応するデータ信号Ｘuは、画像データＤgによって白色に相当する［０００］が
指定されると、水平走査期間ｈ2のうち走査線３１２に選択電圧が印加される前半期間Ｔa
の始点から終点まで非点灯電圧を維持するとともにその水平走査期間ｈ2の後半期間Ｔbの
始点から終点まで点灯電圧を維持する一方、画像データＤgによって黒色に相当する［１
１１］が指定されると、水平走査期間ｈ2における前半期間Ｔaの始点から終点まで点灯電
圧を維持するとともにその水平走査期間ｈ2の後半期間Ｔbの始点から終点まで非点灯電圧
を維持する。これに対し、偶数列に対応するデータ信号Ｘu+1は、画像データＤgによって
［０００］が指定されると、水平走査期間ｈ2における前半期間Ｔaの始点から終点まで非
点灯電圧を維持するとともにその水平走査期間ｈ2の直前の水平走査期間ｈ1における後半
期間Ｔbの始点から終点まで点灯電圧を維持する一方、画像データＤgによって［１１１］
が指定されると、水平走査期間ｈ2における前半期間Ｔaの始点から終点まで点灯電圧を維
持するととも水平走査期間ｈ1における後半期間Ｔbの始点から終点まで非点灯電圧を維持
する。以上に説明した変形例によっても実施形態と同様の作用および効果が奏される。
【００４０】
（２）実施形態においては、後半期間Ｔb（変形例（１）においては前半期間Ｔa）のうち
その終点を含む期間にてデータ線２１２に点灯電圧が印加される構成を例示したが、点灯
電圧が印加される期間（あるいは非点灯電圧が印加される期間）の時間軸上における位置
は任意に変更される。例えば、後半期間Ｔbのうちその始点を含む期間にて点灯電圧が印
加される構成としてもよいし、後半期間Ｔbのうちその始点と終点との中間の期間にて点
灯電圧が印加される構成としてもよい。要するに、後半期間Ｔb（変形例（１）において
は前半期間Ｔa）のうち画像データＤgに応じた時間長の期間にわたって点灯電圧が印加さ
れる構成であれば足りる。
【００４１】
（３）実施形態においては、偶数列目のデータ線２１２に供給される原データ信号ｘjを
奇数列目のデータ線２１２に供給される原データ信号ｘjに対して遅延させる構成を例示
したが、これとは逆に、奇数列目のデータ線２１２に供給される原データ信号ｘjを偶数
列目のデータ線２１２に供給される原データ信号ｘjに対して遅延させる構成としてもよ
い。また、各データ信号Ｘjの電圧が変動するタイミングを奇数列目と偶数列目とで相違
させるための方法は実施形態に示したものに限られない。例えば、原データ信号ｘjを生
成することなく、図６に示したデータ信号Ｘjを画像データＤgから直接的に生成する構成
も採用される。
【００４２】
（４）実施形態においては、二端子型非線形素子たるＴＦＤ素子２２０を備えたアクティ
ブマトリクス方式の電気光学装置Ｄを例示したが、この種の非線形素子を用いることなく
、帯状の電極の交差によって液晶を挟持したパッシブマトリクス方式の電気光学装置にも
本発明は適用される。また、実施形態においては、ＴＦＤ素子２２０がデータ線２１２に
接続され、画素容量１１８が走査線３１２に接続された構成を例示したが、これとは逆に
、ＴＦＤ素子２２０が走査線３１２に、画素容量１１８がデータ線２１２にそれぞれ接続
された構成としてもよい。
【００４３】
（５）本発明は、液晶装置以外の電気光学装置にも適用される。すなわち、電気信号に応
じて光学的な特性が変化する電気光学物質を利用して画像を表示する装置であれば実施形
態と同様に本発明が適用される。例えば、ＥＬ（Electro Luminescent）を電気光学物質
として用いたＥＬ表示装置や、着色された液体と当該液体に分散された白色の粒子とを含
むマイクロカプセルを電気光学物質として用いた電気泳動表示装置、極性が相違する領域
ごとに異なる色に塗り分けられたツイストボールを電気光学物質として用いたツイストボ
ールディスプレイ、黒色トナーを電気光学物質として用いたトナーディスプレイ、あるい
はヘリウムやネオンなどの高圧ガスを電気光学物質として用いたプラズマディスプレイパ
ネル（ＰＤＰ）など各種の電気光学装置に本発明が適用される。
【００４４】
＜Ｃ：電子機器＞
次に、本発明に係る電気光学装置を表示装置として備える電子機器について説明する。
図１０は、実施形態に係る電気光学装置Ｄを有する携帯電話機の構成を示す斜視図である
。この図に示されるように、携帯電話機１２００は、利用者により操作される複数の操作
ボタン１２０２、他の端末装置から受信した音声を出力する受話口１２０４、および他の
端末装置に送信される音声を入力する送話口１２０６のほかに、各種の画像を表示する電
気光学装置Ｄを有する。
【００４５】
なお、本発明に係る電気光学装置が利用され得る電子機器としては、図１０に示される
携帯電話機のほかにも、ノート型のパーソナルコンピュータや、液晶テレビ、ビューファ
インダ型（またはモニタ直視型）のビデオレコーダ、デジタルカメラ、カーナビゲーショ
ン装置、ページャ、電子手帳、電卓、ワードプロセッサ、ワークステーション、テレビ電
話、ＰＯＳ端末、タッチパネルを備えた機器等などが挙げられる。何れの電子機器におい
ても、横クロストークを抑えた高品位の表示が簡易な構成によって実現される。
【図面の簡単な説明】
【００４６】
【図１】本発明に実施形態に係る電気光学装置の全体構成を示すブロック図である。
【図２】走査線駆動回路の動作を説明するためのタイミングチャートである。
【図３】データ線駆動回路の構成を示すブロック図である。
【図４】データ線駆動回路の動作を説明するためのタイミングチャートである。
【図５】対比構成における原データ信号の波形を示すタイミングチャートである。
【図６】本実施形態におけるデータ信号の波形を示すタイミングチャートである。
【図７】本実施形態におけるデータ信号（中間調）の波形を示すタイミングチャートである。
【図８】変形例におけるデータ信号（中間調）の波形を示すタイミングチャートである。
【図９】変形例におけるデータ信号の波形を示すタイミングチャートである。
【図１０】本発明に係る電子機器の一例である携帯電話機の構成を示す斜視図である。
【符号の説明】
【００４７】
Ｄ……電気光学装置、１００…電気光学パネル、１１６…画素、１１８……画素容量、２
２０……ＴＦＤ素子、２１２…データ線、２５０…データ線駆動回路、２５１……メモリ
、２５３……信号生成回路、Ｕ……処理ユニット、２５５……タイミング調整回路、３１
２…走査線、３５０…走査線駆動回路、４００…制御回路、５００…電圧生成回路。
【図１】
2006184652.tif 000003
【図２】
2006184652.tif 000004
【図３】
2006184652.tif 000005
【図４】
2006184652.tif 000006
【図５】
2006184652.tif 000007
【図６】
2006184652.tif 000008
【図７】
2006184652.tif 000009
【図８】
2006184652.tif 000010
【図９】
2006184652.tif 000011
【図１０】
2006184652.tif 000012